(57)【要約】【課題】  速やかに放送サービスの映像を提示できるデジタル放送受信装置を提供すること。【解決手段】  携帯デジタルテレビ１００が省電力モード等で映像復号部８、映像出力部９の処理を停止しているときでも、トランスポートデコード部３が分離した映像ストリームを一時記憶部１１に記憶しておく。そして、携帯デジタルテレビ１００の省電力モード等が解除されたとき、映像復号部８は、上記一時記憶部１１に記憶しておいた映像ストリームを復号し、復号後の映像を即時に映像出力部９に出力する。【選択図】  図１
2006180067.tif 000002
【特許請求の範囲】
【請求項１】
デジタル放送を受信して圧縮音声データと圧縮映像データを取得する受信部と、
前記圧縮映像データを原映像データに復号する映像復号部と、
前記原映像データを出力する映像出力部と、
前記映像出力部の作動状態を検出する検出部と、
前記圧縮映像データを記憶する記憶部と、
前記検出部によって前記映像出力部が非作動状態であることが検出されているとき、前記映像復号部の復号処理を停止させるとともに前記圧縮映像データを前記記憶部に記憶させ、前記検出部によって前記映像出力部の非作動状態から作動状態への移行が検出されたとき、前記記憶部に記憶されている圧縮映像データを前記映像復号部に復号させるとともに復号された原映像データを前記映像出力部に出力させてから、当該移行後に受信された放送から得られる原映像データを出力させる制御部とを備える、デジタル放送受信装置。
【請求項２】
前記デジタル放送受信装置は、装置本体が折り畳み可能に構成され、
前記映像出力部は、前記装置本体を折り畳んだときに装置本体に内包される位置に設けられ、
前記検出部は装置本体が折り畳まれているか否かによって、前記映像出力部が非作動状態か否かを検出する、請求項１記載のデジタル放送受信装置。
【請求項３】
前記記憶部は、新たな情報を記憶するための記憶容量の空きが無くなると最も古い情報に当該新たな情報を上書きする、請求項１記載のデジタル放送受信装置。
【請求項４】
前記検出部によって前記映像出力部の非作動状態から作動状態への移行が検出されたとき、前記記憶部に記憶されている圧縮映像データを復号した原映像データを、前記移行後に受信された放送から得られる原映像データを出力させるよりも速い速度で出力させる出力調整部をさらに備える、請求項１記載のデジタル放送受信装置。
【請求項５】
前記圧縮映像データは、ＭＰＥＧ形式で圧縮されたデータであり、
前記制御部は、前記ＭＰＥＧ形式の圧縮映像データからＩピクチャのみを前記記憶部に記憶させ、前記記憶部に記憶されているＩピクチャを前記映像復号部に復号させるとともに復号された原映像データを前記映像出力部に出力させる、請求項１記載のデジタル放送受信装置。
【請求項６】
前記記憶部は、Ｉピクチャを１枚のみ保存し、前記制御部は、前記受信部が最後に受信したＩピクチャを前記記憶部に上書き保存させる、請求項５記載のデジタル放送受信装置。
【請求項７】
デジタル放送を受信して圧縮音声データと圧縮映像データを取得する受信部と、前記圧縮映像データを原映像データに復号する映像復号部と、前記原映像データを出力する映像出力部と、前記映像出力部の作動状態を検出する検出部と、前記圧縮映像データを記憶する記憶部とを有するデジタル放送受信装置において用いられる方法であって、
前記検出部によって前記映像出力部が非作動状態であることが検出されているとき、前記映像復号部の復号処理を停止させるとともに前記圧縮映像データを前記記憶部に記憶させる第１のステップと、
前記検出部によって前記映像出力部の非作動状態から作動状態への移行が検出されたとき、前記記憶部に記憶されている圧縮映像データを前記映像復号部に復号させるとともに復号された原映像データを前記映像出力部に出力させる第２のステップと、
前記移行後に受信された放送から得られる原映像データを前記映像出力部に出力させる第３のステップとを備える、デジタル放送受信方法。
【請求項８】
前記第２のステップは、前記検出部によって前記映像出力部の非作動状態から作動状態への移行が検出されたとき、前記記憶部に記憶されている圧縮映像データを復号した原映像データを、前記移行後に受信された放送から得られる原映像データを出力させるよりも速い速度で出力させる、請求項７記載のデジタル放送受信方法。
【請求項９】
デジタル放送を受信して圧縮音声データと圧縮映像データを取得する受信部と、前記圧縮映像データを原映像データに復号する映像復号部と、前記原映像データを出力する映像出力部と、前記映像出力部の作動状態を検出する検出部と、前記圧縮映像データを記憶する記憶部とを有するデジタル放送受信装置のコンピュータに実行させるプログラムであって、
前記検出部によって前記映像出力部が非作動状態であることが検出されているとき、前記映像復号部の復号処理を停止させるとともに前記圧縮映像データを前記記憶部に記憶させる第１のステップと、
前記検出部によって前記映像出力部の非作動状態から作動状態への移行が検出されたとき、前記記憶部に記憶されている圧縮映像データを前記映像復号部に復号させるとともに復号された原映像データを前記映像出力部に出力させる第２のステップと、
前記移行後に受信された放送から得られる原映像データを前記映像出力部に出力させる第３のステップとを前記コンピュータに実行させる、デジタル放送受信プログラム。
【請求項１０】
前記第２のステップは、前記検出部によって前記映像出力部の非作動状態から作動状態への移行が検出されたとき、前記記憶部に記憶されている圧縮映像データを復号した原映像データを、前記移行後に受信された放送から得られる原映像データを出力させるよりも速い速度で出力させる、請求項９記載のデジタル放送受信プログラム。
【発明の詳細な説明】
【技術分野】
【０００１】
本発明は、デジタル放送受信装置、デジタル放送受信方法およびデジタル放送受信プログラムに関し、より特定的には、音声ストリーム、映像ストリーム等の様々なストリームが多重化されたトランスポートストリームを用いた携帯型デジタル放送受信装置、デジタル放送受信方法およびデジタル放送受信プログラムに関するものである。
【背景技術】
【０００２】
現在、ＭＰＥＧの技術を用いたデジタル放送サービスが開始されている。このようなサービスに用いられるデジタル放送受信装置として既に据え置き型のデジタル放送受信装置が実用化されている。一方、携帯型のデジタル放送受信装置の受信装置規格の策定も進行しており、携帯型デジタル放送受信装置も実用化されつつある。
【０００３】
図９は、従来の据え置き型の受信装置の構成から想定される携帯型デジタル放送受信装置の構成を示した図である。図９に示す携帯型デジタル放送受信装置９００は、アンテナ９０１と、復調手段９０２と、トランスポートデコーダ手段９０３と、操作手段９０４と、開閉検出手段９０５と、音声復号手段９０６と、音声出力手段９０７と、映像復号手段９０８と、映像出力手段９０９と、制御手段９１０とで構成される。図９において、アンテナ９０１は、放送局より送信されるデジタル放送電波を受ける。復調手段９０２は、ユーザが指定したチャンネルの放送電波に同期し、受けた電波を復調し、音声と映像の圧縮多重データであるトランスポートストリームを取得する。トランスポートデコーダ手段９０３は、復調手段９０２が取得したトランスポートストリームから音声圧縮データである音声ストリームと、映像圧縮データである映像ストリームとを分離する。操作手段９０４は、電源のＯｎ／Ｏｆｆ、受信チャネルの指定等、ユーザが本装置に指示を与えるためのインターフェースである。開閉検出手段９０５は、本装置が映像出力手段９０９を内包した折り畳みが可能な装置の場合、その映像出力手段９０９の開閉を検出する。筐体の折り畳みのマイクロスイッチ等がこれにあたる。音声復号手段９０６は、音声ストリームを復号し、原音声データを得る。映像復号手段９０８は、映像ストリームを復号し、原映像データを得る。音声出力手段９０７は、原音声データを出力する。スピーカー、ヘッドホン出力ジャック等がこれにあたる。映像出力手段９０９は、装置を折り畳むことで装置に内包できるように取り付けられ、復号された原映像データを出力する。液晶ディスプレイ等がこれにあたる。制御手段９１０は、携帯型デジタル放送受信装置９００の様々な処理を制御する。
【０００４】
携帯型の受信機では、携帯性を確保するため、映像出力手段９０９（液晶ディスプレイ）を内包する形で折り畳めるようにしたものが多い。このように映像出力手段９０９を折り畳み可能としたものは、折り畳んだ場合に、開閉検出手段９０５でその開閉を検出し、省電力化のため、復調手段９０２、トランスポートデコーダ手段９０３、映像復号手段９０８、映像出力手段９０９において、トランスポートストリームの多重分離、映像ストリームの復号、映像出力を止めることが考えられている（例えば特許文献１）。
【特許文献１】特開２００３−８７３６９号公報
【発明の開示】
【発明が解決しようとする課題】
【０００５】
しかしながら、上述したような上記特許文献１に開示されたデジタル放送受信装置において、デジタル放送を受信しようとする場合、以下に示す問題点があった。まず、受信機規格では、図１０に示すように映像ストリームが構成されている。図１０においては、原映像データの構築に最低限必要なデータであるＩピクチャが最大の場合５秒間隔で配置される。そのため、復号開始直後、映像ストリームの取りこみ開始がＩピクチャ直後に配置されているＰピクチャのデータからだとすると、停止している映像ディスプレイへの映像出力の再開に最大で５秒程度の時間を要することになる。このことは、ユーザに速やかに放送サービスを提供するという点において大きな問題である。すなわち、本体を一旦閉じて、次に本体を開いたときにすぐに画面が写らず、５秒ほど何も写らないという問題がある。
【０００６】
それ故に、本発明の目的は、速やかに放送サービスの映像を提示できるデジタル放送受信装置を提供することである。
【課題を解決するための手段】
【０００７】
上記目的を達成するために、本発明は以下のような構成を採用した。
【０００８】
第１の発明は、デジタル放送を受信して圧縮音声データと圧縮映像データを取得する受信部と、圧縮映像データを原映像データに復号する映像復号部と、原映像データを出力する映像出力部と、映像出力部の作動状態を検出する検出部と、圧縮映像データを記憶する記憶部と、検出部によって映像出力部が非作動状態であることが検出されているとき、映像復号部の復号処理を停止させるとともに圧縮映像データを記憶部に記憶させ、検出部によって映像出力部の非作動状態から作動状態への移行が検出されたとき、記憶部に記憶されている圧縮映像データを映像復号部に復号させるとともに復号された原映像データを映像出力部に出力させてから、当該移行後に受信された放送から得られる原映像データを出力させる制御部とを備える、デジタル放送受信装置である。
【０００９】
第２の発明は、第１の発明において、デジタル放送受信装置は、装置本体が折り畳み可能に構成され、映像出力部は、装置本体を折り畳んだときに装置本体に内包される位置に設けられ、検出部は装置本体が折り畳まれているか否かによって、映像出力部が非作動状態か否かを検出する。
【００１０】
第３の発明は、第１の発明において、記憶部は、新たな情報を記憶するための記憶容量の空きが無くなると最も古い情報に当該新たな情報を上書きすることを特徴とする。
【００１１】
第４の発明は、第１の発明において、検出部によって映像出力部の非作動状態から作動状態への移行が検出されたとき、記憶部に記憶されている圧縮映像データを復号した原映像データを、移行後に受信された放送から得られる原映像データを出力させるよりも速い速度で出力させる出力調整部をさらに備える。
【００１２】
第５の発明は、第１の発明において、圧縮映像データは、ＭＰＥＧ形式で圧縮されたデータであり、制御部は、ＭＰＥＧ形式の圧縮映像データからＩピクチャのみを記憶部に記憶させ、記憶部に記憶されているＩピクチャを映像復号部に復号させるとともに復号された原映像データを映像出力部に出力させる。
【００１３】
第６の発明は、第５の発明において、記憶部は、Ｉピクチャを１枚のみ保存し、制御部は、受信部が最後に受信したＩピクチャを記憶部に上書き保存させる。
【００１４】
第７の発明は、デジタル放送を受信して圧縮音声データと圧縮映像データを取得する受信部と、圧縮映像データを原映像データに復号する映像復号部と、原映像データを出力する映像出力部と、映像出力部の作動状態を検出する検出部と、圧縮映像データを記憶する記憶部とを有するデジタル放送受信装置において用いられる方法であって、検出部によって映像出力部が非作動状態であることが検出されているとき、映像復号部の復号処理を停止させるとともに圧縮映像データを記憶部に記憶させる第１のステップと、検出部によって映像出力部の非作動状態から作動状態への移行が検出されたとき、記憶部に記憶されている圧縮映像データを映像復号部に復号させるとともに復号された原映像データを映像出力部に出力させる第２のステップと、移行後に受信された放送から得られる原映像データを映像出力部に出力させる第３のステップとを備える、デジタル放送受信方法である。
【００１５】
第８の発明は、第７の発明において、第２のステップは、検出部によって映像出力部の非作動状態から作動状態への移行が検出されたとき、記憶部に記憶されている圧縮映像データを復号した原映像データを、移行後に受信された放送から得られる原映像データを出力させるよりも速い速度で出力させる。
【００１６】
第９の発明は、デジタル放送を受信して圧縮音声データと圧縮映像データを取得する受信部と、圧縮映像データを原映像データに復号する映像復号部と、原映像データを出力する映像出力部と、映像出力部の作動状態を検出する検出部と、圧縮映像データを記憶する記憶部とを有するデジタル放送受信装置のコンピュータに実行させるプログラムであって、検出部によって映像出力部が非作動状態であることが検出されているとき、映像復号部の復号処理を停止させるとともに圧縮映像データを記憶部に記憶させる第１のステップと、検出部によって映像出力部の非作動状態から作動状態への移行が検出されたとき、記憶部に記憶されている圧縮映像データを映像復号部に復号させるとともに復号された原映像データを映像出力部に出力させる第２のステップと、移行後に受信された放送から得られる原映像データを映像出力部に出力させる第３のステップとをコンピュータに実行させる、デジタル放送受信プログラムである。
【００１７】
第１０の発明は、第９の発明において、第２のステップは、検出部によって映像出力部の非作動状態から作動状態への移行が検出されたとき、記憶部に記憶されている圧縮映像データを復号した原映像データを、移行後に受信された放送から得られる原映像データを出力させるよりも速い速度で出力させる。
【発明の効果】
【００１８】
上記第１の発明によれば、映像出力処理が停止している状態でも映像ストリームを記憶部に記憶している。そのため、映像出力が再開された時、記憶部に記憶されている映像ストリームを用いて復号処理を再開できる。これにより、従来の装置に比べ、放送サービスの映像出力の再開にかかる時間を短縮できる。
【００１９】
上記第２の発明によれば、デジタル放送受信装置本体が折り畳めるように構成されているため、デジタル放送受信装置の持ち運びがしやすくなる。
【００２０】
上記第３の発明によれば、デジタル放送受信装置に搭載する記憶部の容量を抑えることができ、製造コストを軽減することができる。
【００２１】
上記第４の発明によれば、既に表示すべき時間が過ぎている映像については、出力速度を加速して出力することができる。この結果、記憶部に記憶されている映像を等倍で出力し、全て出力し終えれば実時間放送の出力に切替える場合に比べ、当該切替わり時に発生する映像の表示抜けを防ぐことができる。
【００２２】
上記第５乃至第６の発明によれば、映像出力に最低限必要なデータ（Ｉピクチャ）のみを記憶部に記憶しておくことで、映像出力再開時に、復号処理に要する時間を短縮することができる。また、映像データを記憶しておく記憶部の容量を節約できる。更に、復号処理に要する消費電力を抑えることができる。
【００２３】
また、本発明のデジタル放送受信方法および受信プログラムによれば、上述した本発明のデジタル放送受信装置と同様の効果を得ることができる。
【発明を実施するための最良の形態】
【００２４】
以下、本発明の実施の形態について、図面を参照して説明する。なお、この実施例により本発明が限定されるものではない。
【００２５】
（第１の実施形態）
図１は、本発明の第１の実施形態に係る携帯型デジタル放送受信装置（以下、携帯デジタルテレビと称す）の構成を示したブロック図である。図１において、携帯デジタルテレビ１００は、アンテナ１と、復調部２と、トランスポートデコード部３と、操作部４と、状態検出部５と、音声復号部６と、音声出力部７と、映像復号部８と、映像出力部９と、制御部１０と、一時記憶部１１とで構成される。アンテナ１は、放送局より送出されるデジタル放送電波を受ける。復調部２は、受信した放送電波を音声と映像の圧縮多重データであるトランスポートストリームに復調する。トランスポートデコード部３は、上記復調部２が出力したトランスポートストリームから圧縮音声データ（以下、音声ストリームと称す）、および圧縮映像データ（以下、映像ストリームと称す）を分離する。なお、本実施例では、圧縮方式にＭＰＥＧ２を使用しているものとする。そして、上記映像ストリームは、ＩピクチャおよびＰピクチャで構成されているものとする。操作部４は、電源のＯＮ／ＯＦＦ、受信チャネルの指定等、ユーザが携帯デジタルテレビ１００に指示を与えるためのものである。状態検出部５は、携帯デジタルテレビ１００の開閉状態を検出する。筐体の折り畳みのマイクロスイッチ等がこれにあたる。音声復号部６は、音声ストリームを原音声データに復号（デコード）する。音声出力部７は、上記原音声データを出力する。スピーカー、ヘッドホン出力ジャック等がこれにあたる。映像復号部８は、映像ストリームを原映像データに復号する。映像出力部９は、装置を折り畳むことで装置に内包できるように取り付けられ、上記原映像データを出力する。例えば、液晶ディスプレイ等が映像出力部９に相当する。制御部１０は、携帯デジタルテレビ１００が、後述の図２に示すフローチャートに対応する動作を実行するための制御を行う。一時記憶部１１は、トランスポートデコード部３で分離された映像ストリームを記憶する。なお、当該一時記憶部１１は、例えば映像復号部８が復号処理時に使用するバッファとは別に設けられるものである。そのため、容量的には、例えば数秒〜数十秒分の映像を記憶できる程度に大きいものが好ましい。
【００２６】
本実施形態は、上記のような構成において、携帯デジタルテレビ１００が閉じている状態から開けた直後に放送電波からＩピクチャが取得できない場合でも、すぐに映像出力処理ができるように、本体が閉じている間に映像ストリームを一時記憶部１１に記憶しておくものである。そして、携帯デジタルテレビ１００が閉じている状態から開いた状態になったとき、上記一時記憶部１１に記憶しておいた映像ストリームから復号し、映像を即時に映像出力部９に出力するものである。
【００２７】
以下、図２を用いて、携帯デジタルテレビ１００が行う放送受信処理の詳細動作を説明する。本実施形態では、携帯デジタルテレビ１００本体が閉じている状態のときは、音声のみを出力し、本体が開いている状態のときは、音声も映像も出力するものとする。
【００２８】
図２は、制御部１０が行う放送受信処理を示すフローチャートである。図２において、まず、制御部１０は、地上デジタル放送の受信を開始する（ステップＳ１）。このステップＳ１の処理をより具体的に説明すると、まず、制御部１０は、操作部４を用いてユーザに指示された放送局の放送電波を復調部２に受信させる。更に、制御部１０は、受信した放送電波のトランスポートストリームへの復調処理を復調部２に開始させる。以上で、ステップＳ１における受信開始処理が終わる。
【００２９】
上記ステップＳ１で復調されたトランスポートストリームは映像／音声などのデータが多重化されているものであるため、次に、制御部１０は、当該トランスポートストリームを映像ストリームと音声ストリームとに分離する分離処理をトランスポートデコード部３に開始させる（ステップＳ２）。ここでは、当該分離される映像および音声ストリームは１秒分の内容で区切られて分離されるものとする。
【００３０】
ステップＳ２の処理が終わると、制御部１０は、トランスポートデコード部３により分離された音声ストリームの復号処理を音声復号部６に開始させる。併せて、制御部１０は、音声復号部６から出力される原音声データをヘッドホン等に出力する処理を音声出力部７に開始させる（ステップＳ３）。
【００３１】
ステップＳ３における処理が終わると、制御部１０は、携帯デジタルテレビ１００本体が折り畳まれている状態が否かを、状態検出部５に判定させる（ステップＳ４）。ステップＳ４の判定の結果、携帯デジタルテレビ１００本体が折り畳まれている状態である場合は（ステップＳ４でＹＥＳ）、制御部１０は、一時記憶部１１への映像ストリームの出力処理が動作中か否かを判定する（ステップＳ１３）。一時記憶部１１への映像ストリームの出力処理が動作中のときは（ステップＳ１３でＹＥＳ）、制御部１０は、後述する放送受信処理の終了判定（ステップＳ８）へ処理を進める。一方、一時記憶部１１への映像ストリームの出力処理が動作中でないときは（ステップＳ１３でＮＯ）、制御部１０は、映像復号部８および映像出力部９が映像復号・出力処理を行っていれば、当該処理を停止させる（ステップＳ１４）。つまり、携帯デジタルテレビ１００本体が開いている状態のときは映像が出力されているので、本体を閉じたタイミングで当該映像の出力が停止することになる。次に、制御部１０は、次に本体が開かれたときにすぐに映像復号処理が開始できるように、上記トランスポートデコード部３により分離された映像ストリームの一時記憶部１１への出力処理を開始する（ステップＳ１５）。このとき、当該映像ストリームに含まれている時刻管理情報も併せて一時記憶部１１に出力する。時刻管理情報とは、上記映像ストリームをいつ復号再生すべきかを示す情報であり、ＰＴＳ（Ｐｒｅｓｅｎｔａｔｉｏｎ  Ｔｉｍｅ  Ｓｔａｍｐ：再生出力の時刻管理情報）やＤＴＳ（Ｄｅｃｏｒｄｉｎｇ  Ｔｉｍｅ  Ｓｔａｍｐ：復号の時刻管理情報）が該当する。また、一時記憶部１１の記憶容量が限られていることから、既に記憶されている映像ストリ−ムに含まれている一番古いＩピクチャあるいはＰピクチャを消去し、その空き領域に新しい映像ストリーム（ピクチャ）を記憶していく、いわゆる、リングバッファ方式を用いて記憶する。そして、制御部１０は、処理をステップＳ８へ進める。
【００３２】
次に、上記ステップＳ４において、携帯デジタルテレビ１００が閉じていないと判定した（ステップＳ４でＮＯ）場合の動作について説明する。ステップＳ４の判定の結果、携帯デジタルテレビ１００が閉じていない（すなわち、開いている）場合、制御部１０は、一時記憶部１１に映像ストリームが記憶されているか否かを判定する（ステップＳ５）。ステップＳ５の判定の結果、一時記憶部１１に映像ストリームが記憶されていれば（ステップＳ５でＹＥＳ）、制御部１０は、一時記憶部１１からの映像復号・出力処理が動作中か否かを判定する（ステップＳ９）。当該処理が動作中であれば（ステップＳ９でＹＥＳ）、制御部１０は、処理をステップＳ８へ進める。一方、当該処理が動作中でなければ（ステップＳ９でＮＯ）、制御部１０は、その時点で一時記憶部１１に記憶されている映像ストリームが上書き消去されないように、映像ストリームの一時記憶部１１への出力処理を停止する（ステップＳ１０）。次に、制御部１０は、一時記憶部１１に記憶されている映像ストリームに含まれる各ピクチャのＰＴＳ（再生出力の時刻管理情報）を取得し、出力すべき時刻が過ぎているか否かを判定する。当該判定の結果、出力すべき時刻が過ぎているピクチャに関しては、一時記憶部１１から削除する。一方、出力すべき時刻が過ぎていないピクチャについては、そのまま一時記憶部１１に保存しておく（ステップＳ１１）。次に、制御部１０は、映像復号部８に、一時記憶部１１に記憶されている映像ストリームを原映像データに復号する処理を開始させる。併せて、映像出力部９に、復号された原映像データを出力する処理を開始させる（ステップＳ１２）。このとき、制御部１０は、復号が終わった映像ストリームについては、一時記憶部１１から消去していく。
【００３３】
一方、ステップＳ５の判定の結果、一時記憶部１１にデータが無いときは（ステップＳ５でＮＯ）、制御部１０は、トランスポートデコード部３から出力される映像ストリームの復号・出力処理が動作中か否かを判定する（ステップＳ６）。トランスポートデコード部３から出力される映像ストリームの復号・出力処理が動作中であれば（ステップＳ６でＹＥＳ）、制御部１０は、処理をステップＳ８へ進める。一方、トランスポートデコード部３から出力される映像ストリームの復号・出力処理が動作中でないときは（ステップＳ６でＮＯ）、制御部１０は、上記トランスポートデコード部３から出力される映像ストリームを原映像データに復号する処理を映像復号部８に開始させる。併せて、制御部１０は、上記原映像データを画面へ表示する映像出力処理を映像出力部９に開始させる（ステップＳ７）。その後、制御部１０は、処理をステップＳ８へ進める。
【００３４】
次に、制御部１０は、放送受信の終了指示の有無を判定する（ステップＳ８）。終了指示がない場合（ステップＳ８でＮＯ）は、制御部１０は、上記ステップＳ４に戻って処理を繰り返す。一方、例えばユーザが本装置の電源ＯＦＦ（放送受信終了）を指示した場合（ステップＳ８でＹＥＳ）、制御部１０は、復調部２、トランスポートデコード部３、映像復号部８、映像出力部９、音声復号部６、音声出力部７の動作を停止させる。以上で、第１の実施形態にかかる受信処理は終了する。
【００３５】
このように、第１の実施形態では、携帯デジタルテレビ１００本体が閉じており、映像出力部９への出力が停止している状態でも、映像・音声ストリームを一時記憶部１１に一時的に記憶する。そして、本体を開けた直後は、記憶している映像ストリームを用いて映像出力を行うため、本体を開けた直後に受信した映像ストリーム中にＩピクチャが含まれてないときでも、遅延の無い映像出力が可能となる。例えば、本体を閉じた状態でサッカーの試合中継を聞いていた場合、ゴール前の攻防で盛り上がったときに本体を開くと、従来であれば開いたタイミングによっては映像が出てくるまでに数秒掛かり、ゴールシーンを見逃してしまうということもあり得る。一方、本実施形態によれば、このような場合でもすぐに映像が表示されるため、肝心のシーンを見逃すといったことがない。
【００３６】
なお、一時記憶部１１の容量が大きければ、その大きさに比例して過去の映像から表示することができる。そのため、肝心のシーンの見逃し等をより少なくすることができる。
【００３７】
（第２の実施形態）
次に、図３から図５を参照して、本発明の第２の実施形態について説明する。上述の第１の実施形態では、一時記憶部１１に記憶した映像ストリームを１倍の再生速度で出力している。これに対して、第２の実施形態では、映像ストリームの再生速度を１倍より大きくして出力する。
【００３８】
図３は、本発明の第２の実施形態に係る携帯デジタルテレビの構成を示したブロック図である。図３において、携帯デジタルテレビ２００は、第１の実施形態で図１を用いて説明した携帯デジタルテレビ１００に、更に再生速度調整部２０１を加えたものに相当し、他の構成部は、第１の実施形態と同様である。従って、同一部位に同一符号を付して、詳細な説明は省略する。図３において、再生速度調整部２０１は、一時記憶部１１に記憶されている映像ストリームの時間管理情報を分析し、本来出力すべき時刻と現在時刻との時間差等を算出する。また、再生速度調整部２０１は、出力すべき映像の出力時刻の調整（すなわち再生速度の調整）を行う。
【００３９】
以下、図４を用いて、携帯デジタルテレビ２００が行う放送受信処理の詳細動作を説明する。図４は第２の実施形態に係る携帯デジタルテレビ２００で行う放送受信処理を示すフローチャートである。図４において、ステップＳ２１からステップＳ２８までの処理、およびステップＳ３１からＳ３２までの処理は、上述の第１の実施形態で図２を用いて説明したステップＳ１からＳ８までの処理、およびステップＳ１３からＳ１４までの処理と同様であるため、ここでは、詳細な説明を省略する。
【００４０】
図４において、制御部１０がステップＳ３２の処理を行った後、上述した図２におけるステップＳ１５と同様に、上記トランスポートデコード部３により分離された映像ストリームの一時記憶部１１への出力を開始する。このとき、制御部１０は、一時記憶部１１内の映像ストリームの再生速度の調整が済んだか否かを示す調整済みフラグをＯＦＦにする（ステップＳ３３）。その後、制御部１０は、ステップＳ２８の処理へ進む。
【００４１】
一方、ステップＳ２４の判定の結果、本体が開いている場合（ステップＳ２４でＮＯ）、制御部１０は、一時記憶部１１に映像ストリームが記憶されているか否かを判定する（ステップＳ２５）。ステップＳ２５の判定の結果、一時記憶部１１に映像ストリームが記憶されていれば（ステップＳ２５でＹＥＳ）、制御部１０は、調整済みフラグがＯＮか否かを判定する（ステップＳ２９）。調整済みフラグがＯＮであれば（ステップＳ２９でＹＥＳ）、制御部１０は、ステップＳ２８の処理へ進む。一方、調整済みフラグがＯＦＦであれば（ステップＳ２９でＮＯ）、制御部１０は、再生速度調整処理（ステップＳ３０）を行う。当該処理を行うことで、一時記憶部１１に記憶されていた映像ストリームが所定の再生速度で映像出力部９に出力されることになる。その後、制御部１０は、放送受信処理の終了判定（ステップＳ２８）に進む。
【００４２】
図５は、上記ステップＳ３０で示した再生速度調整処理の詳細を示すフローチャートである。図５において、まず、制御部１０は、一時記憶部１１への映像ストリームの出力を停止する（ステップＳ４１）。次に、制御部１０は、再生速度調整部２０１に、一時記憶部１１に記憶されている映像ストリームに含まれる全ピクチャの枚数と、各ピクチャのＰＴＳの間隔（表示時間間隔）を算出させる（ステップＳ４２）。次に、制御部１０は、一時記憶部１１への記録時刻が最も古いピクチャを再生速度調整部２０１に一時記憶部１１から取得させる。このとき、処理済のピクチャの枚数をカウントするための変数である処理枚数カウンタを１増やしておく（ステップＳ４３）。次に、再生速度調整部２０１に、当該ピクチャのＰＴＳ（再生出力の時刻管理情報）と現在時刻を比較して、出力すべき時刻が過ぎているか否かを判定させる（ステップＳ４４）。ステップＳ４４の判定の結果、出力時刻を過ぎていないとき、または同じときは（ステップＳ４４でＮＯ）、制御部１０は、当該ピクチャを一時記憶部１１に上書き保存し（このとき、一時記憶部１１への記録時刻が更新される）、ステップＳ４９の処理へ進む。
【００４３】
一方、ステップＳ４４の判定の結果、出力時刻を過ぎているときは（ステップＳ４４でＹＥＳ）、制御部１０は、再生速度調整部２０１に、当該ピクチャのＰＴＳと現在時刻とを比較させて、その時間差を算出させる（ステップＳ４５）。次に、制御部１０は、ステップＳ４５で算出させた時間差が所定の値以上か否かを判定する（ステップＳ４６）。所定の時間差以上なら（ステップＳ４６でＹＥＳ）、制御部１０は、当該ピクチャを一時記憶部１１から削除する（ステップＳ４８）。そして、ステップＳ４９の処理へ進む。すなわち、所定の時間以上に古いピクチャは切り捨てるものである。一方、所定の時間差以内なら（ステップＳ４６でＮＯ）、制御部１０は、再生速度調整部２０１に、ＰＴＳの調整処理（ステップＳ４７）を行わせる。このステップＳ４７の処理は、上述したステップＳ４２で算出した表示時間間隔と予め指定された再生速度とに基づいて、上記ピクチャのＰＴＳを書き換えるものである。具体的には、例えば各ピクチャの表示間隔が１秒であり、再生速度が４倍と指定されていたとする。この場合、各ピクチャの表示間隔が０．２５秒間隔になるように、上記ピクチャのＰＴＳを書き換え、一時記憶部１１に上書き保存（このとき、一時記憶部１１への記録時刻も更新される）する処理を行うものである。
【００４４】
ステップＳ４７あるいはステップＳ４８の処理が終われば、制御部１０は、上記処理枚数カウンタが上述したステップＳ４２で算出した全ピクチャの枚数以上か否かを判定する（ステップＳ４９）。その結果、当該処理枚数カウンタが全ピクチャ枚数未満であれば（すなわち、まだ未処理のピクチャが残っている）、制御部１０は、上記ステップＳ４３に戻って処理を繰り返す。一方、当該処理枚数カウンタが全ピクチャ枚数以上であれば（ステップＳ４９でＹＥＳ）、制御部１０は、後述のステップＳ５０の処理に進む。
【００４５】
ここで、再生速度の調整前後にかかる一時記憶部１１内の映像ストリームの変化について、図６を用いて説明する。図６において、映像ストリーム５１は、ステップＳ４２からＳ４９における一連の処理が行われる前の一時記憶部１１内に記憶される映像ストリームの内容を示している。また、映像ストリーム５２は、実際に再生される映像ストリームの内容を示している。映像ストリームには、再生出力時刻を示すＰＴＳが設定されたピクチャが含まれている。また、各ピクチャのＰＴＳは１秒間隔で設定されている。図６において、例えば、実時間１６：００：０３の時点で、本体を開いたとする。そして、この時点では、１５：５９：５９〜１６：００：０３までの５秒分のピクチャ（出力時刻が過ぎているピクチャ）、および１６：００：０４に表示するピクチャ（出力時刻がまだ過ぎていないピクチャ）の計６枚が一時記憶部１１に記憶されているものとする。また、再生速度についても、予め４倍速と指定されているものとする。また、上記ステップＳ４６で判定される所定の時間差として４秒という値が設定されているものとする。このような場合、再生速度調整部２０１は、一時記憶部１１に記憶されているピクチャのうち、ＰＴＳが１６：００：０３から４秒以上前である１５：５９：５９のピクチャについては一時記憶部１１から削除する。また、当該削除したピクチャ以外で出力時刻の過ぎている４秒分のピクチャ（１６：００：００〜１６：００：０３のピクチャ）のＰＴＳを、０．２５秒間隔（すなわち４倍速）になるよう書き換える。例えば、当該４枚のピクチャのＰＴＳを、１６：００：０３．００／１６：００：０３．２５／１６：００：０３．５０／１６：００：０３．７５というように書き換える。すなわち、本来は４秒間（１６：００：００〜１６：００：０３）で４枚のピクチャを再生するところを、１秒間（１６：０３：００）で４枚のピクチャを再生するように調整することになる（図６の映像ストリーム５２）。
【００４６】
図５に戻り、ステップＳ４９の次に、に、制御部１０は、映像復号部８に、一時記憶部１１に記憶されている映像ストリームを原映像データに復号する処理を開始させる。また、制御部１０は、当該復号処理の済んだピクチャについては、一時記憶部１１より削除していく。併せて、映像出力部９に、復号された原映像データを出力する処理を開始させる（ステップＳ５０）。このとき、映像復号部８における復号処理の結果が正常でないピクチャについては、映像出力部９には出力されない。復号処理の結果が正常でない場合としては、例えば一時記憶部１１に記憶されているピクチャのうち一番古いピクチャ（つまり、最初の復号対象）がＰピクチャであり、Ｉピクチャを取得できていないまま当該Ｐピクチャの復号を行った場合等が該当する。つまり、この場合は結果的に、正常に復号できなかった映像が出力されない、いわば飛び越し再生というかたちになる。
【００４７】
ステップＳ５０の処理の次に、制御部１０は、調整済みフラグをＯＮにする（ステップＳ５１）。以上で、再生速度調整処理は終了する。この後、映像出力部９は、映像復号部８から出力される原映像データを出力していくところ、上記調整後のＰＴＳに従って原映像データを出力することになる。従って、上述した図６に示すようなＰＴＳの書き換えが行われていたときは、時刻Ｔ１からＴ２の間に、４秒分の映像が早送りで再生され、時刻Ｔ２以降は、通常の速度で映像が出力されていくことになる。なお、当該早送り再生中は、音声と映像の同期は取らずに映像が出力される。
【００４８】
このように、第２の実施形態では、既に表示すべき時間が過ぎている映像については、再生速度を速めて再生する。この結果、一時記憶部１１に記憶されている映像を１倍で再生出力し、一時記憶部１１に記憶されている分を出力したら実時間放送の出力に切替わる場合に比べて、切替わり時に発生する映像の表示抜け（１倍速再生中の時間に表示されるべきであった実時間の映像が表示されないまま切替わる）を防ぐことができる。
【００４９】
なお、上述のステップＳ２９において、再生速度を速めずに、例えば４秒遅れのままで一時記憶部１１からの映像を出力し続けるような調整をしてもよい。この場合は、音声ストリームについても一時記憶部１１に記憶しておけばよい。そして、一時記憶部１１から映像・音声を同期して１倍速で出力することにより、常に４秒遅れの内容ではあるが、早送り出力を行ったときよりも見やすい映像・音声を提示することができる。
【００５０】
また、再生速度についても、予め指定された再生速度のほか、本体が開けられた時点の時刻と出力時刻がまだ経過していないピクチャとの時間差を算出し、当該時間差内に出力時刻経過済みのピクチャが再生されるような再生速度を再生速度調整部２０１に算出させて調整させるようにしてもよい。
【００５１】
（第３の実施形態）
次に、図７から図８を参照して、本発明の第３の実施形態について説明する。上述の第１の実施形態では、トランスポートデコード部３から分離された映像ストリームをそのまま一時記憶部１１に記憶している。これに対して、第３の実施形態では、上記分離された映像ストリームの中からＩピクチャのみを抜き出して一時記憶部１１に記憶する。
【００５２】
図７は、本発明の第３の実施形態に係る携帯デジタルテレビの構成を示したブロック図である。図７において、携帯デジタルテレビ３００は、第１の実施形態で図１を用いて説明した携帯デジタルテレビ１００に、更に映像ストリーム分析部３０１を加えたものに相当し、他の構成部は、第１の実施形態と同様である。従って、同一部位に同一符号を付して、詳細な説明は省略する。図７において、映像ストリーム分析部３０１は、上記映像ストリームの圧縮構造を分析し、Ｉピクチャーのデータを切り出す。
【００５３】
以下、図８を用いて、携帯デジタルテレビ３００が行う放送受信処理の詳細動作を説明する。図８は、第３の実施形態に係る携帯デジタルテレビ３００で行う放送受信処理を示すフローチャートである。図８において、ステップＳ６１からステップＳ７４までの処理は、上述の第１の実施形態で図２を用いて説明したステップＳ１からＳ１４までの処理と同様であるため、ここでは、詳細な説明を省略する。
【００５４】
ステップＳ７４の処理の次に、制御部１０は、上記トランスポートデコード部３により分離される映像ストリームを映像ストリーム分析部３０１へ出力する処理を開始する。更に、制御部１０は、当該映像ストリームからＩピクチャを識別する分析処理を映像ストリーム分析部３０１に開始させる（ステップＳ７５）。当該Ｉピクチャの識別の方法としては、例えば映像ストリーム中の各ピクチャが有するデータの一種であるＰＣＴ（Ｐｉｃｔｕｒｅ  Ｃｏｄｉｎｇ  Ｔｙｐｅ）を識別し、各ピクチャのピクチャ・タイプ、すなわちＩピクチャであるかＰピクチャであるかを判定して識別する方法等が考えられる。次に、制御部１０は、映像ストリーム分析部３０１が識別したＩピクチャのみを一時記憶部１１に出力させる処理を映像ストリーム分析部３０１に開始させる（ステップＳ７６）。
【００５５】
このように、第３の実施形態では、映像ストリームからＩピクチャのみを抜き出して一時記憶部１１に記憶している。そのため、映像出力部９が出力する映像も、当該Ｉピクチャを復号した映像だけとなり、その結果、非連続的な、いわば紙芝居的な映像の表示がされることになる。なお、上記Ｉピクチャを復号した映像を出力している間は、映像と音声との同期はとらずに非同期のまま映像を出力することになる。
【００５６】
上述のように、一時記憶部１１にＩピクチャのみを記憶することにより、第１の実施形態に比べて、一時記憶部１１の容量を節約することができる。また、Ｉピクチャのみを復号すればよいため、映像復号部８の復号処理の負担を減らし、復号処理に要する消費電力を軽減することができる。
【００５７】
なお、上記一時記憶部１１の容量をＩピクチャ１枚分に抑え、最新のＩピクチャを上書き保存していくようにしてもよい。この場合は、当該Ｉピクチャを復号した画像、すなわち１枚の静止画が、次のＩピクチャが受信されて実時間放送が出力されるまで表示され続けることになる。このように、一時記憶部１１の容量をＩピクチャ１枚分にすることにより、一時記憶部１１の容量を削減することができる。また、１枚だけ復号・出力すればよいため、消費電力を軽減できる。
【００５８】
また、上述した実施形態では、携帯デジタルテレビ本体が閉じているときには音声のみを出力していたが、閉じているときは音声も出力しない形態であってもよい。
【００５９】
また、携帯デジタルテレビ本体についても、折り畳み式の構成に限らない。例えば、折り畳み式ではないが、ユーザの指示操作によって映像出力処理を停止して音声のみを出力する動作モード、例えば省電力モード等に切替わるような携帯デジタルテレビであってもよい。この場合は、状態検出部５が、上述した図２のステップＳ４において、省電力モードで動作中か否かを検出すればよい。
【００６０】
また、上述した各実施形態は、コンピュータに実行させるプログラムの形態で提供されてもよい。この場合は、デジタル放送受信装置の記憶部（図示せず）に格納されたデジタル放送受信プログラムを読み込み、制御部１０が図２、４、８に示すような処理を実行すればよい。
【産業上の利用可能性】
【００６１】
本発明にかかるデジタル放送受信装置、デジタル放送受信方法およびデジタル放送受信プログラムは、映像出力処理が停止している間でも復号に必要なデータを記憶しつづけ、映像出力処理再開時に遅延のない映像出力を行うことができ、携帯型のデジタル放送受信装置等の用途に有用である。
【図面の簡単な説明】
【００６２】
【図１】本発明の第１の実施形態に係るデジタル放送受信装置の構成を示したブロック図
【図２】本発明の第１の実施形態に係るデジタル放送受信処理を示すフローチャート
【図３】本発明の第２の実施形態に係るデジタル放送受信装置の構成を示したブロック図
【図４】本発明の第２の実施形態に係るデジタル放送受信処理を示すフローチャート
【図５】図４のステップＳ３０で示した再生速度調整処理の詳細を示したフローチャート
【図６】再生速度調整前後にかかる一時記憶部１１の内容を示す図
【図７】本発明の第３の実施形態に係るデジタル放送受信装置の構成を示したブロック図
【図８】本発明の第３の実施形態に係るデジタル放送受信処理を示すフローチャート
【図９】従来の携帯型デジタル放送受信装置の構成を示したブロック図
【図１０】映像ストリームの構成を示す図
【符号の説明】
【００６３】
１  アンテナ
２  復調部
３  トランスポートデコード部
４  操作部
５  状態検出部
６  音声復号部
７  音声出力部
８  映像復号部
９  映像出力部
１０  制御部
１１  一時記憶部
５１  再生速度調整前の映像ストリーム
５２  再生速度調整後の映像ストリーム
２０１  再生速度調整部
３０１  映像ストリーム分析部
９０１  アンテナ
９０２  復調手段
９０３  トランスポートデコーダ手段
９０４  操作手段
９０５  開閉検出手段
９０６  音声復号手段
９０７  音声出力手段
９０８  映像復号手段
９０９  映像出力手段
９１０  制御手段
【図１】
2006180067.tif 000003
【図２】
2006180067.tif 000004
【図３】
2006180067.tif 000005
【図４】
2006180067.tif 000006
【図５】
2006180067.tif 000007
【図６】
2006180067.tif 000008
【図７】
2006180067.tif 000009
【図８】
2006180067.tif 000010
【図９】
2006180067.tif 000011
【図１０】
2006180067.tif 000012